(57)【要約】【課題】  バーコードハンドスキャナの電池を無駄に消耗させたり、コストアップを生じさせたりすることなく、自動的に電源を切断する。【解決手段】  バーコードハンドスキャナ１０１の電源を切断する場合、バーコードハンドスキャナ１０１のバーコード読み取り部２０２から、予め決められた電源切断用バーコード４０１を読み取ることによって、バーコードハンドスキャナ１０１の電源を自動的に切断する。【選択図】図４
2006099583.tif 000002
【特許請求の範囲】
【請求項１】
バーコードデータを読み取り、該バーコードデータに応じた処理を行うバーコードハンドスキャナの制御方法であって、
予め決められた第１のバーコードデータが、前記バーコードハンドスキャナの電源を切断する指示を意味するバーコードデータであることを指定する処理と、
前記バーコードハンドスキャナによってバーコードデータが読み取られた場合に該バーコードデータが前記第１のバーコードデータと一致するかどうかを判断する処理と、
前記読み取られたバーコードデータが前記第１のバーコードデータと一致すると判断された場合に、前記バーコードハンドスキャナの電源を切断する処理とを有するバーコードハンドスキャナの制御方法。
【請求項２】
請求項１に記載のバーコードハンドスキャナの制御方法において、
予め決められた第２のバーコードデータが、前記バーコードハンドスキャナと該バーコードスキャナと接続された上位機との間の通信を開始する指示を意味するバーコードデータであることを指定する処理と、
前記バーコードハンドスキャナによってバーコードデータが読み取られた場合に該バーコードデータが前記第２のバーコードデータと一致するかどうかを判断する処理と、
前記読み取られたバーコードデータが前記第２のバーコードデータと一致すると判断された場合に、前記バーコードハンドスキャナと前記上位機との間において通信を開始する処理とを有することを特徴とするバーコードハンドスキャナの制御方法。
【請求項３】
バーコードデータを読み取り、該バーコードデータに応じた処理を行うバーコードハンドスキャナの制御方法であって、
予め決められた第３のバーコードデータが、前記バーコードハンドスキャナと該バーコードスキャナと接続された上位機との間の通信を開始し、通信が終了後に該バーコードハンドスキャナの電源を切断する指示を意味するバーコードデータであることを指定する処理と、
前記バーコードハンドスキャナによってバーコードデータが読み取られた場合に該バーコードデータが、前記第３のバーコードデータと一致するかどうかを判断する処理と、
前記読み取られたバーコードデータが前記第３のバーコードデータと一致すると判断された場合に、前記バーコードハンドスキャナと前記上位機との間の通信を開始し、通信が終了後に該バーコードハンドスキャナの電源を切断する処理とを有するバーコードハンドスキャナの制御方法。
【請求項４】
バーコードデータを読み取り、該バーコードデータに応じた処理を行うバーコードハンドスキャナであって、
バーコードデータを読み取るバーコード読み取り手段と、
前記バーコードハンドスキャナの電源を切断する電源切断手段と、
前記バーコード読み取り手段にて読み取られたバーコードデータが予め決められた第１のバーコードデータであった場合に、前記電源切断手段に対して前記バーコードハンドスキャナの電源の切断を指示する制御手段とを有するバーコードハンドスキャナ。
【請求項５】
請求項４に記載のバーコードハンドスキャナにおいて、
前記第１のバーコードデータと、該第１のバーコードデータが読み取られた場合に前記バーコードハンドスキャナの電源を切断する処理を行う旨を指定する情報とを対応づけて格納しておくメモリを有し、
前記制御手段は、前記バーコード読み取り手段にてバーコードデータが読み取られた場合、該バーコードデータと前記メモリに格納された前記第１のバーコードデータとを比較し、両者が一致した場合に、前記電源切断手段に対して前記バーコードハンドスキャナの電源の切断を指示することを特徴とするバーコードハンドスキャナ。
【請求項６】
請求項５に記載のバーコードハンドスキャナにおいて、
上位機と通信を行う通信手段を有し、
前記制御手段は、前記バーコード読み取り手段にて読み取られたバーコードデータが予め決められた第２のバーコードデータであった場合に、前記通信手段に対して前記上位機との通信の開始を指示することを特徴とするバーコードハンドスキャナ。
【請求項７】
請求項６に記載のバーコードハンドスキャナにおいて、
前記メモリは、前記第２のバーコードデータと、該第２のバーコードデータが読み取られた場合に前記上位機との通信を開始する処理を行う旨を指定する情報とを対応づけて格納しておき、
前記制御手段は、前記バーコード読み取り手段にてバーコードデータが読み取られた場合、該バーコードデータと前記メモリに格納された前記第２のバーコードデータとを比較し、両者が一致した場合に、前記通信手段に対して前記上位機との通信の開始を指示することを特徴とするバーコードハンドスキャナ。
【請求項８】
バーコードデータを読み取り、該バーコードデータに応じた処理を行うバーコードハンドスキャナであって、
バーコードデータを読み取るバーコード読み取り手段と、
前記バーコードハンドスキャナの電源を切断する電源切断手段と、
上位機と通信を行う通信手段と、
前記バーコード読み取り手段にて読み取られたバーコードデータが予め決められた第３のバーコードデータであった場合に、前記通信手段に対して前記上位機との通信の開始を指示し、前記通信手段における前記上位機との通信が終了した後に、前記電源切断手段に対して前記バーコードハンドスキャナの電源の切断を指示する制御手段とを有するバーコードハンドスキャナ。
【請求項９】
請求項８に記載のバーコードハンドスキャナにおいて、
前記第３のバーコードデータと、該第３のバーコードデータが読み取られた場合に、前記上位機との通信を開始し、通信が終了した後に前記バーコードハンドスキャナの電源を切断する処理を行う旨を指定する情報とを対応づけて格納しておくメモリを有し、
前記制御手段は、前記バーコード読み取り手段にてバーコードデータが読み取られた場合、該バーコードデータと前記メモリに格納された前記第３のバーコードデータとを比較し、両者が一致した場合に、前記通信手段に対して前記上位機との通信の開始を指示し、前記通信手段における前記上位機との通信が終了した後に、前記電源切断手段に対して前記バーコードハンドスキャナの電源の切断を指示することを特徴とするバーコードハンドスキャナ。
【請求項１０】
請求項４乃至７のいずれか１項に記載のバーコードハンドスキャナを用いたバーコード読み取り制御システムであって、
前記バーコードハンドスキャナを載置可能に構成され、該バーコードハンドスキャナが載置された場合に前記バーコード読み取り手段が格納される領域に前記第１のバーコードデータが記載されている置き台を有するバーコード読み取り制御システム。
【請求項１１】
請求項１０に記載のバーコード読み取り制御システムにおいて、
前記置き台は、前記バーコードハンドスキャナに充電を行う充電器であることを特徴とするバーコード読み取り制御システム。
【請求項１２】
請求項６または請求項７に記載のバーコードハンドスキャナを用いたバーコード読み取り制御システムであって、
前記バーコードハンドスキャナを載置可能に構成され、該バーコードハンドスキャナが載置された場合に前記バーコード読み取り手段が格納される領域に前記第２のバーコードデータが記載されている置き台を有するバーコード読み取り制御システム。
【請求項１３】
請求項１２に記載のバーコード読み取り制御システムにおいて、
前記置き台は、前記バーコードハンドスキャナに充電を行う充電器であることを特徴とするバーコード読み取り制御システム。
【請求項１４】
請求項８または請求項９に記載のバーコードハンドスキャナを用いたバーコード読み取り制御システムであって、
前記バーコードハンドスキャナを載置可能に構成され、該バーコードハンドスキャナが載置された場合に前記バーコード読み取り手段が格納される領域に前記第３のバーコードデータが記載されている置き台を有するバーコード読み取り制御システム。
【請求項１５】
請求項１４に記載のバーコード読み取り制御システムにおいて、
前記置き台は、前記バーコードハンドスキャナに充電を行う充電器であることを特徴とするバーコード読み取り制御システム。
【発明の詳細な説明】
【技術分野】
【０００１】
本発明は、バーコードハンドスキャナに関し、特に読み取りトリガスイッチが無い常時読み取りタイプの電池駆動式のバーコードハンドスキャナに関する。
【背景技術】
【０００２】
従来より、電池駆動式のバーコードハンドスキャナにおいて、操作者が電源スイッチや電源ボタンを操作することなく、電源を切断するために、一定の時間、動作させずに放置することによりタイムアウトを発生させ、そのタイムアウト発生により、自動的に電源を切断する方法が行われている。また、バーコードハンドスキャナの置き台あるいは充電器等のホルダに物理スイッチあるいは反射センサを設けておき、バーコードハンドスキャナの置き台あるいは充電器等のホルダにバーコードハンドスキャナを置くことにより物理スイッチあるいは反射センサを作動させ、自動的に電源を切断する方法も考えられている（例えば、特許文献１，２参照。）。
【特許文献１】実開昭６２−０１４５４９号公報
【特許文献２】実開昭６２−１１２７５８号公報
【発明の開示】
【発明が解決しようとする課題】
【０００３】
しかしながら、上述したように、一定の時間放置することによるタイムアウトの発生を契機にバーコードハンドスキャナの電源を切断する方法については、バーコードハンドスキャナによる読み取り操作が終了してからタイムアウトするまでの間、読み取り操作が行われないにもかかわらず電源が入った状態が続くため、電池が無駄に消耗してしまうという問題点がある。また、バーコードハンドスキャナの置き台あるいは充電器等のホルダに物理スイッチあるいは反射センサを設けておく方法については、その物理スイッチの機構の開発工数あるいは反射センサの分のコストアップが生じてしまうという問題点がある。
【０００４】
本発明は、上述したような従来の技術が有する問題点を鑑みてなされたものであって、バーコードハンドスキャナの電池を無駄に消耗させたり、コストアップを生じさせたりすることなく、自動的に電源を切断することができるバーコードハンドスキャナを提供することを目的とする。
【課題を解決するための手段】
【０００５】
上記目的を達成するために本発明は、
バーコードデータを読み取り、該バーコードデータに応じた処理を行うバーコードハンドスキャナの制御方法であって、
予め決められた第１のバーコードデータが、前記バーコードハンドスキャナの電源を切断する指示を意味するバーコードデータであることを指定する処理と、
前記バーコードハンドスキャナによってバーコードデータが読み取られた場合に該バーコードデータが前記第１のバーコードデータと一致するかどうかを判断する処理と、
前記読み取られたバーコードデータが前記第１のバーコードデータと一致すると判断された場合に、前記バーコードハンドスキャナの電源を切断する処理とを有する。
【０００６】
また、
予め決められた第２のバーコードデータが、前記バーコードハンドスキャナと該バーコードスキャナと接続された上位機との間の通信を開始する指示を意味するバーコードデータであることを指定する処理と、
前記バーコードハンドスキャナによってバーコードデータが読み取られた場合に該バーコードデータが前記第２のバーコードデータと一致するかどうかを判断する処理と、
前記読み取られたバーコードデータが前記第２のバーコードデータと一致すると判断された場合に、前記バーコードハンドスキャナと前記上位機との間において通信を開始する処理とを有することを特徴とする。
【０００７】
また、
バーコードデータを読み取り、該バーコードデータに応じた処理を行うバーコードハンドスキャナの制御方法であって、
予め決められた第３のバーコードデータが、前記バーコードハンドスキャナと該バーコードスキャナと接続された上位機との間の通信を開始し、通信が終了後に該バーコードハンドスキャナの電源を切断する指示を意味するバーコードデータであることを指定する処理と、
前記バーコードハンドスキャナによってバーコードデータが読み取られた場合に該バーコードデータが、前記第３のバーコードデータと一致するかどうかを判断する処理と、
前記読み取られたバーコードデータが前記第３のバーコードデータと一致すると判断された場合に、前記バーコードハンドスキャナと前記上位機との間の通信を開始し、通信が終了後に該バーコードハンドスキャナの電源を切断する処理とを有する。
【０００８】
また、
バーコードデータを読み取り、該バーコードデータに応じた処理を行うバーコードハンドスキャナであって、
バーコードデータを読み取るバーコード読み取り手段と、
前記バーコードハンドスキャナの電源を切断する電源切断手段と、
前記バーコード読み取り手段にて読み取られたバーコードデータが予め決められた第１のバーコードデータであった場合に、前記電源切断手段に対して前記バーコードハンドスキャナの電源の切断を指示する制御手段とを有する。
【０００９】
また、
前記第１のバーコードデータと、該第１のバーコードデータが読み取られた場合に前記バーコードハンドスキャナの電源を切断する処理を行う旨を指定する情報とを対応づけて格納しておくメモリを有し、
前記制御手段は、前記バーコード読み取り手段にてバーコードデータが読み取られた場合、該バーコードデータと前記メモリに格納された前記第１のバーコードデータとを比較し、両者が一致した場合に、前記電源切断手段に対して前記バーコードハンドスキャナの電源の切断を指示することを特徴とする。
【００１０】
また、
上位機と通信を行う通信手段を有し、
前記制御手段は、前記バーコード読み取り手段にて読み取られたバーコードデータが予め決められた第２のバーコードデータであった場合に、前記通信手段に対して前記上位機との通信の開始を指示することを特徴とする。
【００１１】
また、
前記メモリは、前記第２のバーコードデータと、該第２のバーコードデータが読み取られた場合に前記上位機との通信を開始する処理を行う旨を指定する情報とを対応づけて格納しておき、
前記制御手段は、前記バーコード読み取り手段にてバーコードデータが読み取られた場合、該バーコードデータと前記メモリに格納された前記第２のバーコードデータとを比較し、両者が一致した場合に、前記通信手段に対して前記上位機との通信の開始を指示することを特徴とする。
【００１２】
また、
バーコードデータを読み取り、該バーコードデータに応じた処理を行うバーコードハンドスキャナであって、
バーコードデータを読み取るバーコード読み取り手段と、
前記バーコードハンドスキャナの電源を切断する電源切断手段と、
上位機と通信を行う通信手段と、
前記バーコード読み取り手段にて読み取られたバーコードデータが予め決められた第３のバーコードデータであった場合に、前記通信手段に対して前記上位機との通信の開始を指示し、前記通信手段における前記上位機との通信が終了した後に、前記電源切断手段に対して前記バーコードハンドスキャナの電源の切断を指示する制御手段とを有する。
【００１３】
また、
前記第３のバーコードデータと、該第３のバーコードデータが読み取られた場合に、前記上位機との通信を開始し、通信が終了した後に前記バーコードハンドスキャナの電源を切断する処理を行う旨を指定する情報とを対応づけて格納しておくメモリを有し、
前記制御手段は、前記バーコード読み取り手段にてバーコードデータが読み取られた場合、該バーコードデータと前記メモリに格納された前記第３のバーコードデータとを比較し、両者が一致した場合に、前記通信手段に対して前記上位機との通信の開始を指示し、前記通信手段における前記上位機との通信が終了した後に、前記電源切断手段に対して前記バーコードハンドスキャナの電源の切断を指示することを特徴とする。
【００１４】
また、
前記バーコードハンドスキャナを載置可能に構成され、該バーコードハンドスキャナが載置された場合に前記バーコード読み取り手段が格納される領域に前記第１のバーコードデータが記載されている置き台を有する。
【００１５】
また、
前記置き台は、前記バーコードハンドスキャナに充電を行う充電器であることを特徴とする。
【００１６】
また、
前記バーコードハンドスキャナを載置可能に構成され、該バーコードハンドスキャナが載置された場合に前記バーコード読み取り手段が格納される領域に前記第２のバーコードデータが記載されている置き台を有する。
【００１７】
また、
前記置き台は、前記バーコードハンドスキャナに充電を行う充電器であることを特徴とする。
【００１８】
また、
前記バーコードハンドスキャナを載置可能に構成され、該バーコードハンドスキャナが載置された場合に前記バーコード読み取り手段が格納される領域に前記第３のバーコードデータが記載されている置き台を有する。
【００１９】
また、
前記置き台は、前記バーコードハンドスキャナに充電を行う充電器であることを特徴とする。
【００２０】
上記のように構成された本発明においては、バーコードハンドスキャナによって、予め決められたバーコードが読み取られることにより、バーコードハンドスキャナ内の内部メモリに格納されているバーコードデータとの比較を行う。読み取られたバーコードデータが、バーコードハンドスキャナの電源を切断する指示を意味する第１のバーコードデータである場合、バーコードハンドスキャナの電源を切断する。また、バーコードハンドスキャナによって読み取られたバーコードデータが、バーコードハンドスキャナと上位機との間において通信を開始する指示を意味する第２のバーコードデータである場合、バーコードハンドスキャナは上位機との間において通信を開始する。さらに、バーコードハンドスキャナによって読み取られたバーコードデータが、バーコードハンドスキャナと上位機との間の通信を開始し、通信が終了後にバーコードハンドスキャナの電源を切断する指示を意味する第３のバーコードデータである場合、バーコードハンドスキャナは上位機との間において通信を開始し、通信が終了後にバーコードハンドスキャナの電源を切断する。
【００２１】
このように、予め決められたバーコードデータを読み取ることによって、バーコードハンドスキャナの電源を切断したり、バーコードハンドスキャナと上位機との間において通信を開始したり、バーコードハンドスキャナと上位機との間において通信を行い通信が終了後に電源を切断したりすることができる。そのため、バーコードハンドスキャナの一定時間の放置によるタイムアウトを契機とした電源の切断方法の適用や、バーコードハンドスキャナ自体に追加機構を設けることが不要となる。
【発明の効果】
【００２２】
以上説明したように本発明においては、バーコードハンドスキャナの電源を切断する指示を意味する第１のバーコードデータをバーコードハンドスキャナに指定しておき、バーコードハンドスキャナにおいてバーコードデータが読み取られた場合にそのバーコードデータが第１のバーコードデータと一致するかどうかを判断し、読み取られたバーコードデータが第１のバーコードデータと一致すると判断した場合に、バーコードハンドスキャナの電源を切断する構成としたため、バーコードハンドスキャナの電池を無駄に消耗させたり、コストアップを生じさせたりすることなく、自動的に電源を切断することができる。
【発明を実施するための最良の形態】
【００２３】
以下に、本発明の実施の形態について図面を参照して説明する。
【００２４】
図１は、本発明のバーコードハンドスキャナが適用されるシステム構成の一例を示す図である。
【００２５】
図１に示すように、バーコードハンドスキャナ１０１−１〜１０１−ｎが、上位機である管理用パソコン１０２に接続され、バーコードハンドスキャナ１０１−１〜１０１−ｎと管理用パソコン１０２との間で無線によって通信が行われるように構成されている。なお、バーコードスキャナ１０１−１〜１０１−ｎと管理用パソコン１０２との間で有線によって通信が行われる構成としてもよい。
【００２６】
図２は、図１に示したバーコードハンドスキャナ１０１−１〜１０１−ｎの構成を示す図である。
【００２７】
図２に示すように、本形態のバーコードハンドスキャナ１０１−１〜１０１−ｎには、外部のバーコードデータを読み取るバーコード読み取り部２０２と、管理用パソコン１０２から送信されてきた実行プログラム及びデータが格納されている内部メモリ２０３と、バーコード読み取り部２０２によって読み取られたバーコードデータと内部メモリ２０３に格納されているデータとに基づいて、バーコードハンドスキャナ１０１−１〜１０１−ｎの電源を切断する電源切断部２０４と、バーコード読み取り部２０２によって読み取られたバーコードデータと内部メモリ２０３に格納されているデータとに基づいて、バーコードハンドスキャナ１０１−１〜１０１−ｎと外部装置である管理用パソコン１０２との間において通信を行う通信部２０５と、バーコード読み取り部２０２によって読み取られたバーコードデータと内部メモリ２０３に格納されているデータとに基づいて、予め決められたその他の処理を行う内部処理部２０６と、手操作によりバーコードハンドスキャナ１０１−１〜１０１−ｎを操作するための操作部２０８と、操作部２０８にて操作された内容やバーコードスキャナ１０１−１〜１０１−ｎ内における処理結果等が表示される表示部２０７と、バーコードハンドスキャナ１０１−１〜１０１−ｎ全体を制御する制御部２０１とが設けられている。
【００２８】
以下に、図２に示したように構成されたバーコードハンドスキャナ１０１−１〜１０１−ｎを図１に示したシステムに適用した場合の処理について、バーコードスキャナ１０１−１と管理用パソコン１０２とを用いた処理を例に挙げて説明する。
【００２９】
図３は、図２に示した構成のバーコードハンドスキャナ１０１−１を図１に示したシステムに適用した場合の処理を説明するためのフローチャートである。
【００３０】
まず、管理用パソコン１０２によってバーコードハンドスキャナ１０１−１への初期設定動作が実行されるかどうかが判断される（ステップＳ３０１）。
【００３１】
初期設定動作が実行されると判断された場合、管理用パソコン１０２からバーコードハンドスキャナ１０１−１の通信部２０５へプログラムが送信される（ステップＳ３０２）。なお、管理用パソコン１０２から通信部２０５へ送信されたプログラムの中には、バーコードデータを読み取った場合に処理を実行するための実行プログラムのほかに、所定の処理の指示を意味するバーコードデータ及びその処理内容を指定する情報からなるデータが含まれている。本形態では、バーコードハンドスキャナ１０１−１の電源を切断する指示を意味する第１のバーコードデータと、バーコードスキャナ１０１−１と管理用パソコン１０２との間において通信を開始する指示を意味する第２のバーコードデータと、その他の予め決められた処理を行う指示を意味するバーコードデータとがそれぞれの処理内容を指定する情報に対応付けられて含まれているものとする。管理用パソコン１０２から送信されたプログラムは通信部２０５にて受信される（ステップＳ３０３）。
【００３２】
通信部２０５にて受信されたプログラムは、制御部２０１によって通信部２０５から内部メモリ２０３へ移され、内部メモリ２０３に格納される（ステップＳ３０４）。
【００３３】
以上説明したステップＳ３０２〜Ｓ３０４が、管理用パソコン１０２によってバーコードハンドスキャナ１０１に対して予め行われる初期設定である。なお、ステップＳ３０１において、バーコードスキャナ１０１−１への初期設定が不要と判断された場合は、上述したステップＳ３０２〜Ｓ３０４における処理は行われない。
【００３４】
その後、外部のバーコードデータがバーコード読み取り部２０２によって読み取られると（ステップＳ３０５）、まず、制御部２０１において、バーコード読み取り部２０２によって読み取られたバーコードデータと内部メモリ２０３に格納されているデータとが比較され（ステップＳ３０６）、バーコード読み取り部２０２によって読み取られたバーコードデータと、内部メモリ２０３に格納されているバーコードハンドスキャナ１０１−１の電源を切断する指示を意味するバーコードデータとが一致するかどうかが判断される（ステップＳ３０７）。
【００３５】
そして、バーコード読み取り部２０２によって読み取られたバーコードデータと内部メモリ２０３に格納されているバーコードハンドスキャナ１０１−１の電源を切断する指示を意味するバーコードデータとが一致すると判断された場合、制御部２０１において、電源切断部２０４に対してバーコードハンドスキャナ１０１−１の電源を切断する指示が行われ、電源切断部２０４によってバーコードハンドスキャナ１０１−１の電源が切断される（ステップＳ３０８）。
【００３６】
また、ステップＳ３０７において、バーコード読み取り部２０２によって読み取られたバーコードデータと内部メモリ２０３に格納されているバーコードハンドスキャナ１０１−１の電源を切断する指示を意味するバーコードデータとが一致しないと判断された場合は、次に、制御部２０１において、バーコード読み取り部２０２によって読み取られたバーコードデータと内部メモリ２０３に格納されているバーコードスキャナ１０１と管理用パソコン１０２との間において通信を開始する指示を意味するバーコードデータとが一致するかどうかが判断される（ステップＳ３０９）。
【００３７】
そして、バーコード読み取り部２０２によって読み取られたバーコードデータと内部メモリ２０３に格納されているバーコードスキャナ１０１−１と管理用パソコン１０２との間において通信を開始する指示を意味するバーコードデータとが一致すると判断された場合、制御部２０１において、内部メモリ２０３に格納されたプログラムに基づいて、管理用パソコン１０２に通信すべきデータが判断され（ステップＳ３１０）、内部メモリ２０３に格納されている管理用パソコン１０２に通信すべきデータが、内部メモリ２０３から読み出される（ステップＳ３１１）。
【００３８】
次に、制御部２０１によって内部メモリ２０３から読み出されたデータは、通信部２０５に送信され（ステップＳ３１２）、通信部２０５にて受信される（ステップＳ３１３）。
【００３９】
通信部２０５にて受信されたデータは、管理用パソコン１０２へ送信され、バーコードハンドスキャナ１０１−１と管理用パソコン１０２との間において通信が行われる（ステップＳ３１４）。
【００４０】
一方、ステップＳ３０９において、バーコード読み取り部２０２によって読み取られたバーコードデータと内部メモリ２０３に格納されているバーコードスキャナ１０１−１と管理用パソコン１０２との間において通信を開始する指示を意味するバーコードデータとが一致しないと判断された場合は、次に、制御部２０１において、バーコード読み取り部２０２によって読み取られたバーコードデータと内部メモリ２０３に格納されているその他の予め決められた処理を行う指示を意味するバーコードデータとが一致するかどうかが判断される（ステップＳ３１５）。
【００４１】
そして、バーコード読み取り部２０２によって読み取られたバーコードデータと内部メモリ２０３に格納されているその他の予め決められた処理を行う指示を意味するバーコードデータとが一致すると判断された場合、制御部２０１において、内部処理部２０６に対して、バーコードデータに応じたその他の処理を行うような指示が出され、内部処理部２０６においてその処理が行われる（ステップＳ３１６）。この内部処理部２０６における処理の結果は、制御部２０１の指示によって、表示部２０７において表示されることが考えられる。また、内部処理部２０６における処理の結果によっては、表示部２０７上において外部からの情報の入力を促す旨が表示され、それにより外部から操作部２０８を介して必要な情報が入力され、制御部２０１の指示により、入力された情報を基に内部処理部２０６において再度処理が行われることも考えられる。
【００４２】
一方、ステップＳ３１５において、バーコード読み取り部２０２によって読み取られたバーコードデータと内部メモリ２０３に格納されているその他の予め決められた処理を行う指示を意味するバーコードデータとが一致しないと判断された場合は、処理は行われない（ステップＳ３１７）。
【００４３】
図４は、図２に示した構成を有するバーコードハンドスキャナによるバーコードデータの読み取り処理を説明するための図である。
【００４４】
図４に示すように、紙面上に電源切断用バーコード４０１と、上位機通信開始用バーコード４０２とが印刷あるいは貼付されているものとする。
【００４５】
作業終了後、バーコードハンドスキャナ１０１の電源を切断する場合は、バーコード読み取り部２０２によって、電源切断用バーコード４０１の読み取りを行うと、制御部２０１において、読み取られたバーコードデータがバーコードハンドスキャナ１０１の電源を切断する指示であると判断されることにより、バーコードハンドスキャナ１０１の電源が切断される。
【００４６】
また、バーコードスキャナ１０１と管理用パソコン１０２との間において通信を行う場合は、バーコード読み取り部２０２によって、上位機通信開始用バーコード４０２の読み取りを行うと、制御部２０１において、読み取られたバーコードデータがバーコードスキャナ１０１と上位機との間において通信を開始する指示であると判断されることにより、バーコードハンドスキャナ１０１と管理用パソコン１０２との間の通信が開始される。
【００４７】
なお、本形態においては、電源切断用バーコード４０１と上位機通信開始用バーコード４０２とを別々のバーコードとして用いる場合を例に挙げて説明したが、電源切断用バーコード４０１のデータと上位機通信開始用バーコード４０２のデータとを兼ね備えた第３のバーコードデータである上位機通信開始兼電源切断用バーコードを設けておけば、バーコード読み取り部２０２によって上位機通信開始兼電源切断用バーコードデータの読み取りを行い、制御部２０１において、読み取られたバーコードデータがバーコードスキャナ１０１と上位機との間において通信を開始する指示及びバーコードハンドスキャナ１０１の電源を切断する指示であると判断されることにより、管理用パソコン１０２とバーコードハンドスキャナ１０１との間において通信を行い、通信が完了した後、自動的にバーコードハンドスキャナ１０１の電源が切断されることも可能である。
【００４８】
図５は、図４に示したバーコードハンドスキャナ１０１の置き台の一構成例を示す図である。
【００４９】
図５に示すように、本構成例においては、バーコードハンドスキャナ１０１を載置した場合に、置き台５０１のバーコード読み取り部２０２が格納される部分に電源切断用バーコード４０１が記載されたラベルが貼付されている。そのため、バーコードハンドスキャナ１０１を置き台５０１に置いた場合、バーコード読み取り部２０２によって電源切断用バーコード４０１が読み取られ、自動的にバーコードハンドスキャナ１０１の電源が切断される。
【００５０】
また、置き台５０１に貼付されているバーコードが、電源切断用バーコード４０１ではなく、上位機通信開始用バーコード４０２や、図４の説明で述べた上位機通信開始兼電源切断用バーコードとすることも考えられる。
【００５１】
また、置き台５０１の代わりに充電器等のホルダに上述したバーコードを貼付することも考えられる。
【図面の簡単な説明】
【００５２】
【図１】本発明のバーコードハンドスキャナが適用されるシステム構成の一例を示す図である。
【図２】図１に示したバーコードハンドスキャナの構成を示す図である。
【図３】図２に示した構成のバーコードハンドスキャナを図１に示したシステムに適用した場合の処理を説明するためのフローチャートである。
【図４】図２に示した構成を有するバーコードハンドスキャナによるバーコードデータの読み取り処理を説明するための図である。
【図５】図４に示したバーコードハンドスキャナの置き台の一構成例を示す図である。
【符号の説明】
【００５３】
１０１，１０１−１〜１０１−ｎ    バーコードハンドスキャナ
１０２    管理用パソコン
２０１    制御部
２０２    バーコード読み取り部
２０３    内部メモリ
２０４    電源切断部
２０５    通信部
２０６    内部処理部
２０７    表示部
２０８    操作部
４０１    電源切断用バーコード
４０２    上位機通信開始用バーコード
５０１    置き台
【図１】
2006099583.tif 000003
【図２】
2006099583.tif 000004
【図３】
2006099583.tif 000005
【図４】
2006099583.tif 000006
【図５】
2006099583.tif 000007